(57)【要約】【課題】光源支持部材とフレームとがネジにより互いに固定される表示装置において、ネジ止めの影響による光源のずれを低減する。【解決手段】表示装置は、表示パネルの背面側に配置される導光板と、導光板の側面から当該導光板内に向けて光を照射する光源と、光源を支持する光源支持部材と、導光板及び光源支持部材を支持するフレームと、を含み、光源支持部材及びフレームは、ネジにより互いに固定され、光源支持部材及びフレームのいずれか一方は、ネジが螺合するネジ穴と、ネジ穴を囲う第１面とを含み、いずれか他方は、ネジが挿通する挿通穴と、挿通穴を囲う第２面とを含み、第１面及び第２面それぞれは、導光板の側面に垂直な方向と、表示パネルの表示面に垂直な方向との両方向に対して斜交するように形成されている。【選択図】図１
2017173722.tif 000002
【特許請求の範囲】
【請求項１】
表示パネルと、
前記表示パネルの背面側に配置される導光板と、
前記導光板の側面から当該導光板内に向けて光を照射する光源と、
前記光源を支持する光源支持部材と、
前記導光板及び前記光源支持部材を支持するフレームと、
を含み、
前記光源支持部材及び前記フレームは、ネジにより互いに固定され、
前記光源支持部材及び前記フレームのいずれか一方は、前記ネジが螺合するネジ穴と、前記ネジ穴を囲う第１面とを含み、
前記光源支持部材及び前記フレームのいずれか他方は、前記ネジが挿通する挿通穴と、前記挿通穴を囲う第２面とを含み、
前記第１面及び前記第２面それぞれは、前記導光板の側面に垂直な方向と、前記表示パネルの表示面に垂直な方向との両方向に対して斜交するように形成されている、
ことを特徴とする表示装置。
【請求項２】
前記ネジが前記ネジ穴に螺合して前記光源支持部材及び前記フレームが互いに固定された状態のとき、前記第１面と前記第２面とが面接触している、
ことを特徴とする請求項１に記載の表示装置。
【請求項３】
前記フレームは、前記ネジ穴が形成された凸状の第１部分を含み、
前記光源支持部材は、前記挿通穴が形成された凹状の第２部分を含み、
前記第１部分及び前記第２部分は、前記表示パネルの表示面側に向けて徐々に径が小さくなるようにテーパ状に形成されている、
ことを特徴とする請求項１に記載の表示装置。
【請求項４】
前記第１部分は、前記第１面を含み、前記第２部分は、前記第２面を含む、ことを特徴とする請求項３に記載の表示装置。
【請求項５】
前記ネジ穴は、前記第１面に形成されており、前記挿通穴は、前記第２面に形成されている、
ことを特徴とする請求項１に記載の表示装置。
【請求項６】
前記ネジの前記ネジ穴に対する挿入方向は、前記表示パネルの表示面に対して斜交している、
ことを特徴とする請求項１に記載の表示装置。
【請求項７】
前記光源支持部材は、前記光源を搭載する基板と、前記基板に接続される前記光源を放熱するヒートシンクと、を含み、
前記ヒートシンクに前記挿通穴又は前記ネジ穴が形成されており、
前記ヒートシンク及び前記フレームは、前記ネジにより互いに固定されている、
ことを特徴とする請求項１に記載の表示装置。
【発明の詳細な説明】
【技術分野】
【０００１】
本発明は、表示装置に関する。
【背景技術】
【０００２】
表示装置は、表示パネルと、表示パネルに背面側から光を照射するバックライトユニットと、を含んで構成されている。また、表示装置は、表示パネルやバックライトユニットをフレームにより固定することで一体に組み立てられている。特許文献１は、フレームやバックライトユニットをネジにより互いに固定している表示装置を開示している。
【先行技術文献】
【特許文献】
【０００３】
【特許文献１】特開２０１３−１４２７２１号公報
【発明の概要】
【発明が解決しようとする課題】
【０００４】
バックライトユニットには、表示パネルに対向配置される導光板と、導光板の側面から光を照射する光源と、光源が搭載される光源支持部材とが含まれている。ここで、導光板と光源との距離や、導光板に対する光軸の位置により表示パネルの輝度が変化するため、導光板と光源との距離、導光板に対する光軸の位置は一定に保持されていることが望ましい。
【０００５】
しかし、特許文献１に開示されているように光源支持部材とフレームとがネジにより互いに固定される際には、光源支持部材とフレームとの一方にネジ穴が形成され、他方にネジが挿通する挿通穴が形成される。一般的に、部品公差を吸収する余裕分だけ挿通穴はネジ穴より大きめに形成されている。そのため、挿通穴の余裕分だけ光源支持部材にずれが生じると、導光板と光源との距離や、導光板に対する光軸の位置がずれてしまうことがある。導光板と光源との距離や、導光板に対する光軸の位置がずれると、表示パネルの輝度の変化等の表示不良に繋がる。
【０００６】
本発明は、上記課題に鑑みて為されたものであり、光源支持部材とフレームとがネジにより互いに固定される表示装置において、ネジ止めの影響による光源のずれに起因する表示不良を低減することを目的とする。
【課題を解決するための手段】
【０００７】
上記課題を解決するために、本発明の表示装置は、表示パネルと、前記表示パネルの背面側に配置される導光板と、前記導光板の側面から当該導光板内に向けて光を照射する光源と、前記光源を支持する光源支持部材と、前記導光板及び前記光源支持部材を支持するフレームと、を含み、前記光源支持部材及び前記フレームは、ネジにより互いに固定され、前記光源支持部材及び前記フレームのいずれか一方は、前記ネジが螺合するネジ穴と、前記ネジ穴を囲う第１面とを含み、前記光源支持部材及び前記フレームのいずれか他方は、前記ネジが挿通する挿通穴と、前記挿通穴を囲う第２面とを含み、前記第１面及び前記第２面それぞれは、前記導光板の側面に垂直な方向と、前記表示パネルの表示面に垂直な方向との両方向に対して斜交するように形成されている、ことを特徴とする。
【０００８】
本発明に係る表示装置では、前記ネジが前記ネジ穴に螺合して前記光源支持部材及び前記フレームが互いに固定された状態のとき、前記第１面と前記第２面とが面接触していてもよい。
【０００９】
本発明に係る表示装置では、前記フレームは、前記ネジ穴が形成された凸状の第１部分を含み、前記光源支持部材は、前記挿通穴が形成された凹状の第２部分を含み、前記第１部分及び前記第２部分は、前記表示パネルの表示面側に向けて徐々に径が小さくなるようにテーパ状に形成されていてもよい。
【００１０】
本発明に係る表示装置では、前記第１部分は、前記第１面を含み、前記第２部分は、前記第２面を含んでいてもよい。
【００１１】
本発明に係る表示装置では、前記ネジ穴は、前記第１面に形成されており、前記挿通穴は、前記第２面に形成されていてもよい。
【００１２】
本発明に係る表示装置では、前記ネジの前記ネジ穴に対する挿入方向は、前記表示パネルの表示面に対して斜交していてもよい。
【００１３】
本発明に係る表示装置では、前記光源支持部材は、前記光源を搭載する基板と、前記基板に接続される前記光源を放熱するヒートシンクと、を含み、前記ヒートシンクに前記挿通穴又は前記ネジ穴が形成されており、前記ヒートシンク及び前記フレームは、前記ネジにより互いに固定されていてもよい。
【発明の効果】
【００１４】
本発明によれば、光源支持部材とフレームとがネジにより互いに固定される表示装置において、ネジ止めの影響による光源のずれに起因する表示不良を低減することができる。
【図面の簡単な説明】
【００１５】
【図１】第１実施形態に係る表示装置の部分断面図である。
【図２】図１の部分ＩＩを拡大した図である。
【図３】下フレームの第１部分と、ヒートシンクの第２部分とを示す斜視図である。
【図４】第２実施形態に係る表示装置の部分断面図である。
【図５】図４の部分Ｖを拡大した図である。
【発明を実施するための形態】
【００１６】
［第１実施形態］
以下、本発明の実施形態について、図面を用いて説明する。
【００１７】
図１は、第１実施形態に係る表示装置１の部分断面図である。図１においては、上側が表示装置１の表示面側であり、下側が表示装置１の背面側であり、右側が表示装置１の内周側であり、左側が表示装置１の外周側である。
【００１８】
表示装置１は、画像を表示する表示パネル２と、表示パネル２に背面側から光を照射するバックライトユニット３と、これらの周囲に配置されるフレーム（下フレーム４、モールドフレーム５、及び上フレーム６）とを含んで構成されている。
【００１９】
表示パネル２は、背面側に配置されるＴＦＴ（薄膜トランジスタ）基板２１と、表示面側に配置されるＣＦ（カラーフィルタ）基板２２と、ＴＦＴ基板２１及びＣＦ基板２２の間に挟持される液晶層（図示せず）と、ＴＦＴ基板２１の背面側に配置される下偏光板２３と、ＣＦ基板２２の表示面側に配置される上偏光板２４と、を含んで構成されている。
【００２０】
バックライトユニット３は、導光板３２と、導光板３２の背面側に配置される反射シート３３と、導光板３２の表示面側に配置される光学シート３４と、導光板３２の側面から導光板３２内に向けて光を照射する光源３５と、光源３５を支持する光源支持部材３６と、を含んで構成されている。
【００２１】
導光板３２は、光源３５から照射された光を導光板３２の表示面側から均一に出射することでバックライトユニット３を面光源として機能させる。反射シート３３は、導光板３２の背面側に配置され、導光板３２に入射された光が導光板３２の表示面側以外の面から出射されないようにする。光学シート３４は、導光板３２から出射される光を集光して表示パネル２の背面側へ導く。また、光学シート３４には導光板３２から出射される光を拡散させて均一にする拡散シートが含まれている。
【００２２】
光源３５は、点状光源であり、例えば複数のＬＥＤ（Light Emitting Diode）を用いて構成することができる。光源３５は、導光板３２の一側面に対向配置されており、光源３５からの光は、導光板３２の一側面に入射される。
【００２３】
光源支持部材３６は、光源３５を搭載する基板３７と、光源３５を放熱するヒートシンク３８と、を含んで構成されている。基板３７には、光源３５を制御するための配線パターンが配置されている。ヒートシンク３８は、基板３７の外周側に位置する側壁部３８ａと、導光板３２の背面側に位置する底板部３８ｂとから構成されている。基板３７及びヒートシンク３８は、粘着材等により互いに固定されている。なお、ヒートシンク３８は配置されていなくてもよい。
【００２４】
下フレーム４は、ヒートシンク３８の背面側に配置され、導光板３２及び光源支持部材３６を支持する。下フレーム４は、側壁部４ａと、底板部４ｂとから構成されている。
【００２５】
側壁部４ａは、モールドフレーム５の側壁部５ａとヒートシンク３８の側壁部３８ａとの間に配置されている。底板部４ｂは、ヒートシンク３８の底板部３８ｂの背面側に配置されている。
【００２６】
モールドフレーム５は、表示面側からみて矩形状であり、略Ｌ字型の断面を有している。モールドフレーム５は、側壁部５ａと突出部５ｄを備えている。
【００２７】
側壁部５ａは、上フレーム６の側壁部６ａと下フレーム４の側壁部４ａとの間に配置されている。突出部５ｄは、側壁部５ａの上端から内周側へ延伸しており、表示パネル２とバックライトユニット３との間へ内周側に向かって突出している。突出部５ｄと表示パネル２との間には、緩衝部材７２が備えられており、表示パネル２が突出部５ｄに接触することを回避している。突出部５ｄと導光板３２との間には、緩衝部材７３が備えられており、熱膨張した導光板３２が突出部５ｄに接触することを回避している。
【００２８】
上フレーム６は、表示面側からみて矩形状であり、Ｌ字型の断面を有している。上フレーム６は、側壁部６ａと、上板部６ｃとから構成されている。側壁部６ａは、下フレーム４及びモールドフレーム５よりも外周側に位置している。上板部６ｃは、側壁部６ａの上端から内周側へ延伸しており、表示パネル２の周縁部に対向している。
【００２９】
上板部６ｃの下面には、表示パネル２が上板部６ｃに衝突するときの衝撃を緩和するための緩衝部材７６が貼り付けられている。
【００３０】
第１実施形態に係る表示装置１では、下フレーム４及び光源支持部材３６（図１では、ヒートシンク３８）は、ネジ８により互いに固定されている。第１実施形態では、下フレーム４の底板部４ｂとヒートシンク３８の底板部３８ｂとが、ネジ８により互いに固定されている。以下、下フレーム４及びヒートシンク３８がネジ８により互いに固定される例について詳細に説明するが、例えば下フレーム４及び基板３７がネジ８により互いに固定されていてもよい。
【００３１】
図２は、図１の部分ＩＩを拡大した図である。図３は、下フレーム４の第１部分４２と、ヒートシンク３８の第２部分８２とを示す斜視図である。
【００３２】
図２に示すように、下フレーム４は、ネジ８が螺合するためのネジ穴４１と、ネジ穴４１を囲うように形成されている第１面４２ａとを含んでいる。ネジ穴４１の径とネジ８の径とは略同一となる。第１面４２ａは、導光板３２の側面に垂直な方向（図２における左右方向）と、表示パネル２の表示面に垂直な方向（図２における上下方向）との両方向に対して斜交するように形成されている。
【００３３】
第１実施形態では、下フレーム４は、ネジ穴４１が形成された第１部分４２を含んで形成されている。第１部分４２は表示面側に向けて凸状に形成されている。具体的には、図３に示すように、第１部分４２は、表示面側に向けて徐々に径が小さくなるテーパ形状を有している。図３では、第１部分４２の形状の一例として円錐台形状を示している。そして、第１部分４２が第１面４２ａを含み、具体的には第１部分４２の側面（テーパ面）が第１面４２ａとなる。
【００３４】
ヒートシンク３８は、ネジ８が挿通する挿通穴８１と、挿通穴８１を囲うように形成されている第２面８２ｂとを含んでいる。挿通穴８１の径は、ネジ穴４１の径及びネジ８の径より大きくなる。第２面８２ｂは、導光板３２の側面に垂直な方向と、表示パネル２の表示面に垂直な方向との両方向に対して斜交するように形成されている。
【００３５】
第１実施形態では、ヒートシンク３８は、挿通穴８１が形成された第２部分８２を含んで形成されている。第２部分８２は、表示面側に向けて凹状に形成されている。具体的には、図３に示すように、第２部分８２は、表示面側に向けて徐々に径が小さくなるテーパ形状を有している。図３では、第２部分８２の形状の一例として円錐台形状を示している。そして、第２部分８２が第２面８２ｂを含み、具体的には第２部分８２の側面（テーパ面）が第２面８２ｂとなる。
【００３６】
そして、ネジ８がネジ穴４１に螺合して下フレーム４及びヒートシンク３８が互いに固定された状態のとき、下フレーム４の第１部分４２がヒートシンク３８の第２部分８２に嵌め込まれ、第１部分４２の第１面４２ａと、第２部分８２の第２面８２ｂとが互いに面接触する。また、ネジ８は、ネジ８の挿入方向が、表示面側から背面側に向くように、ネジ穴４１に螺合している。第１部分４２の第１面４２ａと、第２部分８２の第２面８２ｂとが互いに面接触することで、ヒートシンク３８は、表示パネル２の表示面に平行な面上の全周方向にずれにくくなる。つまりは、ヒートシンク３８は、導光板３２の側面に垂直な方向にずれにくくなり、導光板３２の側面に垂直な方向における導光板３２と光源３５との距離を一定に保持しやすくなる。これにより、ネジ止めの影響による光源３５のずれに起因する表示不良を低減することができる。
【００３７】
また、図３では、第１部分４２及び第２部分８２が円錐台形状を有している例を示したが、例えば角錐台形状を有していてもよい。
【００３８】
また、第１実施形態において、下フレーム４にネジ８が挿通する挿通穴８１と、挿通穴８１を囲う第２面８２ｂとが形成され、ヒートシンク３８にネジ８が螺合するためのネジ穴４１と、ネジ穴４１を囲う第１面４２ａとが形成されてもよい。このとき、ネジ８は、ネジ８の挿入方向が、背面側から表示面側に向くように、ネジ穴４１に螺合している。つまり、第１実施形態においては、下フレーム４及びヒートシンク３８のいずれか一方に、ネジ８が螺合するネジ穴４１と、ネジ穴４１を囲う第１面４２ａとを含み、下フレーム４及びヒートシンク３８のいずれか他方に、ネジ８が挿通する挿通穴８１と、挿通穴８１を囲う第２面８２ｂとを含んでいればよい。
【００３９】
また、第１実施形態において、下フレーム４の第１部分４２と、ヒートシンク３８の第２部分８２とは、背面側に向けて徐々に径が小さくなるテーパ形状を有していてもよい。
【００４０】
［第２実施形態］
図４は、第２実施形態に係る表示装置１の部分断面図である。図５は、図４の部分Ｖを拡大した図である。第２実施形態に係る表示装置１は、第１実施形態とは、下フレーム１０４、ヒートシンク１３８、及びネジ１０８の構成に差異がある点を除けば、同一のものである。従って、第１実施形態と同等の構成には同符号を付し、その重複する説明は省略する。
【００４１】
第２実施形態に係る表示装置１では、下フレーム１０４は、側壁部１０４ａと、底板部１０４ｂとから構成されている。ヒートシンク１３８は、基板３７の外周側に位置する側壁部１３８ａと、導光板３２の背面側に位置する底板部１３８ｂとから構成されている。そして、第２実施形態では、下フレーム１０４の底板部１０４ｂとヒートシンク１３８の底板部１３８ｂとが、ネジ１０８により互いに固定されている。以下、第２実施形態に係る表示装置１の具体的構成について詳細に説明する。
【００４２】
下フレーム１０４の底板部１０４ｂと、ヒートシンク１３８の底板部１３８ｂとには、段差が形成されている。具体的には、下フレーム１０４の底板部１０４ｂの周縁部は、底板部１０４ｂの内周側に位置する部分より背面側に位置している。そして、ヒートシンク１３８の底板部１３８ｂは、段差により、第１面１１１と、第３面１１３と、第５面１１５とを含んで形成されている。第３面１１３は、ヒートシンク１３８の側壁部１３８ａ（図４参照）の端部から内周側に向けて、側壁部１３８ａに対して延伸している。第１面１１１は、第３面１１３の端部から表示面側へ向けて斜めに延伸している。第５面１１５は、第１面１１１の端部から表示面側へ向けて垂直に延伸している。また、下フレーム１０４の底板部１０４ｂは、段差により、第２面１１２と、第４面１１４と、第６面１１６とを含んで形成されている。第４面１１４は、下フレーム１０４の側壁部１０４ａ（図４参照）の端部から内周側に向けて、側壁部１０４ａに対して垂直に延伸している。第２面１１２は、第４面１１４の端部から表示面側に向けて斜めに延伸している。第６面１１６は、第２面１１２の端部から表示面側へ向けて延伸している。
【００４３】
下フレーム１０４には、ネジ１０８が挿通するための挿通穴１８１が第２面１１２に形成されており、第２面１１２は挿通穴１８１を囲うように形成されている。第２面１１２は、導光板３２の側面に垂直な方向（図５における左右方向）と、表示パネル２の表示面に垂直な方向（図５における上下方向）との両方向に対して斜交するように形成されている。
【００４４】
ヒートシンク１３８は、ネジ１０８が螺合するためのネジ穴１４１が第１面１１１に形成されており、第１面１１１はネジ穴１４１を囲うように形成されている。第１面１１１は、導光板３２の側面に垂直な方向（図５における左右方向）と、表示パネル２の表示面に垂直な方向（図５における上下方向）との両方向に対して斜交するように形成されている。
【００４５】
そして、ネジ１０８がネジ穴１４１に螺合して下フレーム１０４及びヒートシンク１３８が互いに固定された状態のとき、下フレーム１０４の第２面１１２と、ヒートシンク１３８の第１面１１１とが互いに面接触する。また、下フレーム１０４の第４面１１４と、ヒートシンク１３８の第３面１１３とが互いに面接触する。また、下フレーム１０４の第６面１１６と、ヒートシンク１３８の第５面１１５とが互いに面接触する。また、ネジ１０８は、ネジ１０８の挿入方向が表示パネル２の表示面に対して斜交するようにして、ネジ穴１４１に螺合している。下フレーム１０４の第２面１１２と、第４面１１４と、第６面１１６とが、それぞれヒートシンク１３８の第１面１１１と、第３面１１３と、第５面１１５とに面接触することで、ヒートシンク１３８は、導光板３２の側面に垂直な方向と、表示パネル２の表示面に垂直な方向との両方向にずれにくくなる。したがって、導光板３２の側面に垂直な方向における導光板３２と光源３５との距離と、導光板３２に対する光軸の位置を一定に保持しやすくなる。これにより、ネジ止めの影響による光源３５のずれに起因する表示不良を低減することができる。
【００４６】
なお、ネジ１０８がネジ穴１４１に螺合して下フレーム１０４及びヒートシンク１３８が互いに固定された状態のとき、下フレーム１０４の第４面１１４とヒートシンク１３８の第３面１１３とが互いに面接触し、かつ、下フレーム１０４の第６面１１６とヒートシンク１３８の第５面１１５とが互いに面接触していてもよい。このとき下フレーム１０４の第２面１１２と、ヒートシンク１３８の第１面１１１とは互いに面接触していなくてもよい。下フレーム１０４の第４面１１４とヒートシンク１３８の第３面１１３とが互いに面接触し、かつ、下フレーム１０４の第６面１１６とヒートシンク１３８の第５面１１５とが互いに面接触することで、ヒートシンク１３８は、導光板３２の側面に垂直な方向と、表示パネル２の表示面に垂直な方向との両方向にずれにくくなる。
【００４７】
また、第２実施形態において、下フレーム１０４にネジ１０８が螺合するためのネジ穴１４１と、ネジ穴１４１を囲う第１面１１１とが形成され、ヒートシンク１３８にネジ１０８が挿通するための挿通穴１８１と、挿通穴１８１を囲う第２面１１２とが形成されていてもよい。つまり、第２実施形態においては、下フレーム１０４及びヒートシンク１３８のいずれか一方に、ネジ１０８が螺合するネジ穴１４１と、ネジ穴１４１を囲う第１面１１１とを含み、下フレーム１０４及びヒートシンク１３８のいずれか他方に、ネジ１０８が挿通する挿通穴１８１と、挿通穴１８１を囲う第２面１１２とを含んでいればよい。
【００４８】
以上、本発明の実施の形態について説明したが、本発明は上記各実施の形態に限定されるものではなく、本発明の趣旨を逸脱しない範囲内で上記実施の形態から当業者が適宜変更した形態も本発明の技術的範囲に含まれることは言うまでもない。
【符号の説明】
【００４９】
１  表示装置、２  表示パネル、３  バックライトユニット、４，１０４  下フレーム、４ａ，５ａ，６ａ，１０４ａ，３８ａ，１３８ａ  側壁部、４ｂ，１０４ｂ，３８ｂ，１３８ｂ  底板部、５  モールドフレーム、５ｄ  突出部、６  上フレーム、６ｃ  上板部、８，１０８  ネジ、２１  ＴＦＴ基板、２２  ＣＦ基板、２３  下偏光板、２４  上偏光板、３２  導光板、３３  反射シート、３４  光学シート、３５  光源、３６  光源支持部材、３７  基板、３８，１３８  ヒートシンク、４１，１４１  ネジ穴、４２  第１部分、４２ａ，１１１  第１面、７２，７３，７６  緩衝部材、８１，１８１  挿通穴、８２  第２部分、８２ｂ，１１２  第２面、１１３  第３面、１１４  第４面、１１５  第５面、１１６  第６面。
【図１】
2017173722.tif 000003
【図２】
2017173722.tif 000004
【図３】
2017173722.tif 000005
【図４】
2017173722.tif 000006
【図５】
2017173722.tif 000007